(57)【特許請求の範囲】
【請求項１】
コンピュータが、
複数の患者それぞれの患者情報の一覧を表示する表示画面において、複数の患者のそれぞれに対応付けて、患者情報へのアクセス権の参照又は設定処理を起動する際に用いられる表示部品を表示する際に、アクセス権の設定内容が初期設定から既に変更された患者に対応付けて表示する表示部品については、アクセス権の設定内容が初期設定から未変更である他の表示部品と識別可能な態様で表示する表示制御
を行うことを特徴とする表示制御方法。
【請求項２】
前記コンピュータが、
前記複数の患者から選択された１の患者に対する前記アクセス権の設定情報を参照又は更新する機能を起動させるための指示を受け付ける操作領域を、前記設定情報の対象とする患者の識別子と対応付けた状態で表示する画面で、該操作領域に、起動対象となる前記機能の識別子を表示するとともに、該設定情報の対象とする患者と対応付けて格納されている該設定情報が、前記初期設定から変更されているか否かの別を識別可能な印を表示する
ことを特徴とする請求項１記載の表示制御方法。
【請求項３】
前記コンピュータが、
前記機能により前記アクセス権の設定情報を変更した場合、前記初期設定から変更されたか否かを示すフラグを変更されたことを示す値に設定し、
前記フラグの値に基づいて、前記識別可能な印の表示の有無を判断する
ことを特徴とする請求項２記載の表示制御方法。
【請求項４】
前記表示部品の選択に応じて、看護する１以上の担当者と該担当者の所属とを階層構造で示し、該担当者の選択又は１以上の所属の選択を可能とする画面を表示することを特徴とする請求項１記載の表示制御方法。
【請求項５】
コンピュータに、
複数の患者それぞれの患者情報の一覧を表示する表示画面において、複数の患者のそれぞれに対応付けて、患者情報へのアクセス権の参照又は設定処理を起動する際に用いられる表示部品を表示する際に、アクセス権の設定内容が初期設定から既に変更された患者に対応付けて表示する表示部品については、アクセス権の設定内容が初期設定から未変更である他の表示部品と識別可能な態様で表示する表示制御、
を実行させることを特徴とする表示制御プログラム。
【請求項６】
複数の患者それぞれの患者情報の一覧を表示する表示画面において、複数の患者のそれぞれに対応付けて、患者情報へのアクセス権の参照又は設定処理を起動する際に用いられる表示部品を表示する際に、アクセス権の設定内容が初期設定から既に変更された患者に対応付けて表示する表示部品については、アクセス権の設定内容が初期設定から未変更である他の表示部品と識別可能な態様で表示する表示制御部
を有することを特徴とする表示制御装置。
【発明の詳細な説明】
【技術分野】
【０００１】
本発明は、アクセス権の設定に係る表示制御に関する。
【背景技術】
【０００２】
近年、医療に係る種々の専門職種がチームを組んで、在宅の患者を訪問して治療する訪問医療が行われるようになっている。訪問医療では、一人の患者を、クリニック（の医師）、訪問看護ステーション（の看護師、ヘルパー等）、訪問リハビリステーション（の療法士）、訪問歯科医院（の歯科医）等の複数の事業所およびそこに所属するメンバーがチームを組んで、在宅の患者のケアに当たる。このような医療体制を、チームケアと呼ぶ。
【０００３】
そして、チームケアによる訪問医療を支援する訪問医療システムでは、チームケアを効率的に行うために患者情報を共有化する一方で、患者情報に対する利用制限も行えるようになっている。
【０００４】
例えば、ログイン画面において、ログイン名及びパスワードによる認証情報の入力に応じて、入力された認証情報でアクセス可能な権限グループのみを選択可能に表示する技術等が提案されている。
【先行技術文献】
【特許文献】
【０００５】
【特許文献１】特開２００６−３３８５２２号公報
【発明の概要】
【発明が解決しようとする課題】
【０００６】
訪問医療システムでは、新たな患者情報の登録に応じて、患者情報の共有可否を示すアクセス権が設定され管理される。一人の患者に関する患者情報へのアクセス権を、複数の事業所（の複数の担当者）が、個別のタイミングで参照したり更新する場合がある。
【０００７】
新たな患者情報のアクセス権を参照する者にとっては、共有可否が設定されて決定した後の状態を示すのか、訪問医療システムによって、患者情報の登録時にデフォルト設定された状態のままであるのかを即座に判断することができない。
【０００８】
また、患者情報のアクセス権を設定する者にとっても、これから設定することが、最初の設定であるか、一旦設定された後の更新に相当するのかを、直感的に判断することができない。この場合、変更して良いのか否かを関係者に確認する等の作業負担が生じている。
【０００９】
したがって、１つの側面では、本発明は、アクセス権の設定を効率的に行える表示制御を行うことを目的とする。
【課題を解決するための手段】
【００１０】
一態様によれば、コンピュータが、複数の患者それぞれの患者情報の一覧を表示する表示画面において、複数の患者のそれぞれに対応付けて、患者情報へのアクセス権の参照又は設定処理を起動する際に用いられる表示部品を表示する際に、アクセス権の設定内容が初期設定から既に変更された患者に対応付けて表示する表示部品については、アクセス権の設定内容が初期設定から未変更である他の表示部品と識別可能な態様で表示する表示制御を行うことを特徴とする表示制御方法が提供される。
【００１１】
また、上記課題を解決するための手段として、上記方法を行う装置、コンピュータに上記処理を実行させるためのプログラム、及び、そのプログラムを記憶した記憶媒体とすることもできる。
【発明の効果】
【００１２】
アクセス権の設定を効率的に行える表示制御を行える。
【図面の簡単な説明】
【００１３】
【図１】訪問医療システムのネットワーク構成例を示す図である。
【図２】サーバ装置のハードウェア構成を示す図である。
【図３】担当者端末のハードウェア構成を示す図である。
【図４】サーバ装置の機能構成例を示す図である。
【図５】共有患者一覧画面の例を示す図である。
【図６】マーク「＊」無しの共有制限の操作ボタンを選択した場合の共有制限設定画面の例を示す図である。
【図７】マーク「＊」有りの共有制限の操作ボタンを選択した場合の共有制限設定画面の例を示す図である。
【図８】テーブルのデータ構成例を示す図である。
【図９】共有患者一覧画面作成処理を説明するためのフローチャート図である。
【図１０】共有制限設定処理を説明するためのフローチャート図である。
【発明を実施するための形態】
【００１４】
以下、本発明の実施の形態を図面に基づいて説明する。図１は、訪問医療システムのネットワーク構成例を示す図である。図１に示す訪問医療システム１０００は、サーバ装置１００と、複数の担当者端末３とを有し、ネットワーク２を介して接続される。
【００１５】
サーバ装置１００は、複数の事業所によるチーム内の各担当者（スタッフ）が利用する担当者端末３に、チームが担当する、即ち、患者情報が共有される患者一覧の画面（以下、「共有患者一覧画面」という）Ｇ７１を提供し、共有患者一覧画面Ｇ７１から選択された患者の患者情報に対して共有制限を設定する画面（以下、「共有制限設定画面」という）Ｇ７２を提供する。
【００１６】
サーバ装置１００は、表示制御装置に相当し、患者情報に対する共有制限は、患者情報に対するアクセス権に相当する。
【００１７】
チームには、クリニック（の医師）、本問看護ステーション（の看護師、ヘルパー等）、訪問リハビリステーション（の療法士）、訪問歯科医院（の歯科医）等の１つ以上の事業所が含まれる。一の事業所内の１又は複数の担当者がチームのスタッフとなる。
【００１８】
複数の担当者端末３は、訪問医療システム１０００を利用する担当者の端末である。複数の担当者は、それぞれ担当者端末３を利用して、サーバ装置１００から共有患者一覧画面Ｇ７１、共有制限設定画面Ｇ７２等によりサービスの提供を受ける。担当者端末３を利用する担当者は、訪問医療システム１０００に登録された、少なくとも１つの事業所に所属している者である。
【００１９】
図２は、サーバ装置のハードウェア構成を示す図である。図２において、サーバ装置１００は、コンピュータによって制御される情報処理装置であって、ＣＰＵ（Central Processing Unit）１１ａと、主記憶装置１２ａと、補助記憶装置１３ａと、入力装置１４ａと、表示装置１５ａと、通信Ｉ／Ｆ（インターフェース）１７ａと、ドライブ装置１８ａとを有し、バスＢ１に接続される。
【００２０】
ＣＰＵ１１ａは、主記憶装置１２ａに格納されたプログラムに従ってサーバ装置１００を制御する。主記憶装置１２ａには、ＲＡＭ（Random Access Memory）、ＲＯＭ（Read Only Memory）等が用いられ、ＣＰＵ１１ａにて実行されるプログラム、ＣＰＵ１１ａでの処理に必要なデータ、ＣＰＵ１１ａでの処理にて得られたデータ等を記憶又は一時保存する。
【００２１】
補助記憶装置１３ａには、ＨＤＤ（Hard Disk Drive）等が用いられ、各種処理を実行するためのプログラム等のデータを格納する。補助記憶装置１３ａに格納されているプログラムの一部が主記憶装置１２ａにロードされ、ＣＰＵ１１ａに実行されることによって、各種処理が実現される。主記憶装置１２ａ及び補助記憶装置１３ａを総称して、記憶部１３０ａと言う。
【００２２】
入力装置１４ａは、マウス、キーボード等を有し、管理者がサーバ装置１００による処理に必要な各種情報を入力するために用いられる。表示装置１５ａは、ＣＰＵ１１ａの制御のもとに必要な各種情報を表示する。入力装置１４ａと表示装置１５ａとは、一体化したタッチパネル等によるユーザインタフェースであってもよい。通信Ｉ／Ｆ１７ａは、有線又は無線などのネットワークを通じて通信を行う。通信Ｉ／Ｆ１７ａによる通信は無線又は有線に限定されるものではない。 
サーバ装置１００によって行われる処理を実現するプログラムは、例えば、ＣＤ−ＲＯＭ（Compact Disc Read-Only Memory）等の記憶媒体１９ａによってサーバ装置１００に提供される。
【００２３】
ドライブ装置１８ａは、ドライブ装置１８ａにセットされた記憶媒体１９ａ（例えば、ＣＤ−ＲＯＭ等）とサーバ装置１００とのインターフェースを行う。
【００２４】
また、記憶媒体１９ａに、後述される本実施の形態に係る種々の処理を実現するプログラムを格納し、この記憶媒体１９ａに格納されたプログラムは、ドライブ装置１８ａを介してサーバ装置１００にインストールされる。インストールされたプログラムは、サーバ装置１００により実行可能となる。
【００２５】
尚、プログラムを格納する記憶媒体１９ａはＣＤ−ＲＯＭに限定されず、コンピュータが読み取り可能な、構造（structure）を有する１つ以上の非一時的（non-transitory）な、有形（tangible）な媒体であればよい。コンピュータ読取可能な記憶媒体として、ＣＤ−ＲＯＭの他に、ＤＶＤディスク、ＵＳＢメモリ等の可搬型記録媒体、フラッシュメモリ等の半導体メモリであっても良い。
【００２６】
図３は、担当者端末のハードウェア構成を示す図である。図３において、担当者端末３は、コンピュータによって制御されるタブレット型、携帯電話等の情報処理端末であって、ＣＰＵ（Central Processing Unit）１１ｂと、主記憶装置１２ｂと、ユーザＩ／Ｆ（インターフェース）１６ｂと、通信Ｉ／Ｆ１７ｂと、ドライブ装置１８ｂとを有し、バスＢ２に接続される。
【００２７】
ＣＰＵ１１ｂは、主記憶装置１２ｂに格納されたプログラムに従って担当者端末３を制御する。主記憶装置１２ｂには、ＲＡＭ（Random Access Memory）、ＲＯＭ（Read Only Memory）等が用いられ、ＣＰＵ１１ｂにて実行されるプログラム、ＣＰＵ１１ｂでの処理に必要なデータ、ＣＰＵ１１ｂでの処理にて得られたデータ等を記憶又は一時保存する。主記憶装置１２ｂに格納されているプログラムが、ＣＰＵ１１ｂに実行されることによって、各種処理が実現される。
【００２８】
ユーザＩ／Ｆ１６ｂは、ＣＰＵ１１ｂの制御のもとに必要な各種情報を表示し、また、ユーザによる操作入力を可能とするタッチパネル等である。通信Ｉ／Ｆ１７ｂによる通信は無線又は有線に限定されるものではない。
【００２９】
担当者端末３によって行われる処理を実現するプログラムは、ネットワーク２を介して外部装置からダウンロードされる。或いは、予め担当者端末３の主記憶装置１２ｂに記憶されていても良い。
【００３０】
ドライブ装置１８ｂは、ドライブ装置１８ｂにセットされた記憶媒体１９ｂ（例えば、ＳＤ（Secure Digital）メモリカード等）と担当者端末３とのインターフェースを行う。主記憶装置１２ｂ及び／又は記憶媒体１９ｂが記憶部１３０ｂに相当する。
担当者端末３は、スタンドアロン型のパーソナルコンピュータ（ＰＣ）であってもよい。その場合は、図２に示すサーバ装置１００のハードウェア構成と同様であるため、その説明を省略する。
【００３１】
図４は、サーバ装置の機能構成例を示す図である。図４において、サーバ装置１００は、共有患者一覧画面作成部４１と、共有制限設定部４２とを有する。共有患者一覧画面作成部４１と、共有制限設定部４２とは、サーバ装置１００にインストールされたプログラムが、サーバ装置１００のＣＰＵ１１ａに実行させる処理により実現される。また、記憶部１３０ａは、患者基本情報テーブル５１、共有制限情報テーブル５２、共有制限有無情報テーブル５３等を記憶する。
【００３２】
共有患者一覧画面作成部４１は、表示制御部に相当し、共有患者一覧画面要求に応じて、共有患者一覧画面Ｇ７１を作成し、担当者端末３に表示する。共有患者一覧画面作成部４１は、担当者端末３からの事業所名を指定した共有患者一覧画面要求に応じて、患者基本情報テーブル５１と共有制限情報テーブル５２とを参照して、担当者が指定した事業所が共有可能な患者の患者ＩＤの一覧を取得する。共有可能な患者ＩＤの一覧を共有可能患者一覧という。本実施例において、患者情報の共有可否を示す情報を、「共有制限情報」という。
【００３３】
共有患者一覧画面作成部４１は、共有可能患者一覧の患者毎に、共有制限有無情報テーブル５３を参照して、患者情報に対して既に共有制限が設定されているか否かを判断し、既に共有制限が設定されている場合には、共有制限が設定されたことを示すマークを共有制限ボタンに付加して共有患者一覧画面Ｇ７１を作成し、担当者端末３に表示する。
【００３４】
共有制限ボタンは、担当者毎に共有可否を示した共有制限情報を表示するために、担当者が操作するための操作ボタンの一つである。共有患者一覧画面Ｇ７１には、患者情報に対する操作を行う操作ボタン等の表示部品が、共有制限ボタン（図５の８１、８２、８３等）を含めて付加される。
【００３５】
このような共有患者一覧画面作成部４１が作成されることにより、担当者は、担当者端末３に表示された共有患者一覧画面Ｇ７１を参照したときに、共有制限が未設定であるのか、設定済みであるのかを容易に知ることができ、共有制限情報に対する操作性を良くすることができる。
【００３６】
共有制限設定部４２は、担当者端末３からの患者ＩＤを指定した共有制限設定画面要求に応じて、共有制限設定画面Ｇ７２を表示して、共有制限情報テーブル５２を参照して共有制限情報を取得して共有制限設定画面Ｇ７２に表示する。共有制限情報は、チームに属し患者情報を共有するグループ毎に、各担当者に対して共有可否の設定を示す情報である。
【００３７】
本実施例に係る画面例について図５から図７で説明する。図５は、共有患者一覧画面の例を示す図である。図５に示す共有患者一覧画面Ｇ７１は、サーバ装置１００に共有患者一覧画面要求を行うことで、担当者端末３に表示される。
【００３８】
共有患者一覧画面Ｇ７１は、検索条件入力領域７１ａ、一覧表示領域７１ｂ等を有する。検索条件入力領域７１ａは、患者情報を共有する事業所名を選択により入力する入力域７１ａ−１、事業所名を検索文字により指定する入力領域７１ａ−２、検索の対象とする患者状況を選択する選択領域７１ａ−３、検索を実行する検索ボタン７１ａ−４等を有する。入力域７１ａ−１は、プルダウン形式で表示される一覧７１ａ−９から、担当者が事業所名を選択できるように構成してもよい。
【００３９】
担当者は、担当者端末３のユーザＩ／Ｆ１６ｂに表示された共有患者一覧画面Ｇ７１の検索条件入力領域７１ａにおいて、事業所名及び／又は患者状況を検索条件として指定して、検索ボタン７１ａ−４を操作する。検索ボタン７１ａ−４の操作によって、検索条件を含む共有患者一覧要求がサーバ装置１００へ送信される。
【００４０】
サーバ装置１００は、担当者端末３からの共有患者一覧要求に応じて、検索条件に一致する患者情報毎に患者名、提供元事業所、提供先事業所、操作領域等を有する一覧（以下、「共有患者情報一覧」という）を一覧表示領域７１ｂに表示する。
【００４１】
患者名は、検索条件で抽出された患者情報で示される患者名を示す。提供元事業所は、患者情報を提供した事業所の名称を示し、例えば、患者を往診する医師が属する医療機関を示す。提供先事業所は、患者情報の提供を受ける事業所の名称を示し、例えば、チームに属する事業所を示す。
【００４２】
操作領域は、患者情報の共有等に係る種々の操作ボタンを設ける領域である。操作領域には、患者情報を共有させるための操作ボタン、共有を解除するための操作ボタン、共有制限設定画面を表示するための操作ボタン、共有制限情報を流用するための操作ボタン、患者情報にファイルを関連付けるための操作ボタン等が備えられる。
【００４３】
患者「富士岡三郎」の操作領域内の共有制限の操作ボタン８１と、患者「富士岡太郎」の操作領域内の共有制限の操作ボタン８３の表示部品には、「共有制限」が示される。一方、患者「富士岡次郎」の操作領域内の共有制限の操作ボタン８２の表示部品には、「共有制限＊」が示される。すなわち、文字列「共有制限」及びマーク「＊」が示される。
【００４４】
このマーク「＊」は、患者「富士岡次郎」の患者情報に対して、既に共有制限設定が行われたことを示している。また、マーク「＊」がない文字列「共有制限」のみが表示される操作ボタン８１及び８３は、患者「富士岡三郎」及び患者「富士岡太郎」の患者情報に対して、未だ共有制限設定がなされていないことを示している。すなわち、表示部品の態様が、該表示部品の指定により起動される設定情報の更新処理がなされ初期状態から既に変更されている状態なのか、初期状態のままなのかが識別可能に示されている。
【００４５】
なお、本実施例では、サーバ装置１００が「＊」マークを付加するか否かによって表示態様を識別可能にしている例を挙げて説明しているが、識別可能な表示態様はこの例に限るものではない。「＊」マーク以外の文字やマークの表示有無によって識別可能にしても構わない。また、表示部品そのものの形状や色、およびまたは表示部品内に出力するテキストやマークや図形の形状や色を変更することによって識別可能にしても構わない。
【００４６】
担当者は、共有患者情報一覧を全体的に把握するために、担当者端末３に表示された共有患者一覧画面Ｇ７１を拡大又は縮小、或いは、スクロールさせる場合がある。このような操作をしながら、担当者は、共有制限を設定するための共有制限設定画面への入り口となる操作ボタン８１〜８３等のマーク「＊」の有無により、共有制限設定の必要な患者情報か、流用可能な共有制限設定か等を容易に把握することができる。
【００４７】
マーク「＊」が存在しない場合、共有制限設定がサーバ装置１００によるデフォルト設定のままであり、共有制限を設定する場合には初回の設定となることを意味する。一方、マーク「＊」が存在する場合、サーバ装置１００によるデフォルト設定から少なくとも１度は共有制限の設定が変更されたことを示し、更に、設定を変更する場合には、共有制限情報を変更して更新すること意味する。
【００４８】
このようなマーク「＊」を参照することで、担当者は、異なる患者であっても、それぞれの患者に対するチームが同じであり、該患者に対するアクセス権の設定も同じチームが対応している他の患者と同じ設定にすればよい、すなわち設定を流用してよい場合、マーク「＊」付きの共有制限情報を流用すれば良いことを容易に判断することができる。また、他の患者のアクセス権設定を参考にしてある患者のアクセス権を設定する場合に、マーク「＊」の有無によって、各患者のアクセス権の設定がデフォルト状態から更新されているか否かが一目でわかるので、参考にすべき他の患者を容易に特定することができる。一方、本実施例の適用がなく、共有制限がデフォルト設定のままでも更新された後でもマーク「＊」が付かない場合、どちらの患者の共有制限情報を流用すればよいのかを判断するのは困難である。
【００４９】
この例において、患者「富士岡次郎」と、患者「富士岡太郎」とにおいて、提供元事業所と提供先事業所とが一致する。即ち、チームが同一であるため、担当者は、共有制限情報を流用したいと考えたとする。本実施例では、患者「富士岡次郎」の共有制限の操作ボタン８２にはマーク「＊」が付してあり、患者「富士岡太郎」の共有制限の操作ボタン８３にはマーク「＊」が存在しない。従って、担当者は、患者「富士岡太郎」の共有制限の設定時に、患者「富士岡次郎」の共有制限情報を流用すれば良いことを容易に判断できる。
【００５０】
次に、患者「富士岡次郎」の共有制限設定について図６及び図７で説明する。図６は、マーク「＊」無しの共有制限の操作ボタンを選択した場合の共有制限設定画面の例を示す図である。
【００５１】
図６において、共有制限設定画面Ｇ７２は、共有可否の設定対象全てに対して、共有可又は共有不可を一度に行う操作領域９１と、共有可否の設定対象毎に共有可否を設定可能に表示する表示領域９２と、現在の設定をサーバ装置に記憶するためのＯＫボタン９３と、現在の設定をキャンセルして、共有制限設定画面Ｇ７２の表示時の状態に戻すためのキャンセルボタン９４とを有する。
【００５２】
操作領域９１では、「すべてチェック」又は「すべてチェック解除」をワンクリックで行える。「すべてチェック」を選択した場合、表示領域９２で示される設定対象全てに対して、患者情報の共有可が設定される。「すべてチェック解除」を選択した場合、表示領域９２で示される設定対象全てに対して、患者情報の共有不可が設定される。
【００５３】
図６に例示する共有制限設定画面Ｇ７２の表示領域９２では、患者「富士岡次郎」のためのチームに対する共有制限の初期状態を示している。患者「富士岡次郎」の患者情報が新たに登録された時に、サーバ装置１００は、デフォルトの共有制限を生成する。図６はその状態、すなわち共有制限が更新される前のデータ例を示している。
【００５４】
共有制限設定画面Ｇ７２では、画面共有患者一覧画面Ｇ７１で示される各提供先事業所の各グループ、及び、各グループに属する各担当者に対して、患者「富士岡次郎」の患者情報の共有可否が示される。各提供先事業所、各グループ、各グループに属する各担当者等は、包含関係を容易に把握できるように、木構造のディレクトリ形式で示してもよい。
【００５５】
このような共有制限設定前のデフォルトの共有制限では、提供先事業所全て、及び、各グループに属する担当者全てに対して、共有可を示すチェック（例えば、「レ」）が表示される。チェックが示される場合、患者情報が共有されることを示す。
【００５６】
このように表示された共有制限設定画面Ｇ７２の表示領域９２上で、担当者は、患者情報の共有可又は共有不可を設定した後、ＯＫボタン９３を選択する。担当者端末３からサーバ装置１００に患者ＩＤと共有制限情報とが送信され、サーバ装置１００は、共有制限情報テーブル５２において、担当者端末３から受信した患者ＩＤの共有制限情報を設定又は更新する。
【００５７】
一端、患者「富士岡次郎」の患者情報に対する共有制限情報が、担当者によって設定されると、患者「富士岡次郎」の操作領域内の操作ボタン８２の表示が「共有制限」から、図５に例示したように「共有制限＊」へと変化する。「共有制限＊」を示す操作ボタン８２を選択すると、例えば、共有制限設定画面Ｇ７２は、図７のように表示される。
【００５８】
図７は、マーク「＊」有りの共有制限の操作ボタンを選択した場合の共有制限設定画面の例を示す図である。図７に例示する共有制限設定画面Ｇ７２では、前回の共有制限設定の状態が、表示領域９２に表示される。
【００５９】
前回の共有制限設定において、２つの事業所「ＡＢＣ訪問看護ステーション」及び「ＡＢＣ薬局」が共有可能に設定されている。事業所「ＡＢＣ訪問看護ステーション」において、「非管理グループ」を除いた「管理グループ」及び「グループ設定なし」が共有可能に設定されている。また、「管理グループ」では、全てのスタッフについて共有可能に設定されている。
【００６０】
次に、各種テーブル５１〜５３のデータ構成例について図８で説明する。図８は、テーブルのデータ構成例を示す図である。図８において、患者基本情報テーブル５１は、患者を訪問する際に参照される患者情報を記憶し管理するためのテーブルであり、患者ＩＤ、患者名、住所、電話番号等の項目を有する。
【００６１】
患者ＩＤは、訪問医療システム１０００において、各患者の識別子を示す。患者名は、患者のフルネームを示す。住所は、患者の住所を示す。患者ＩＤ、患者名、住所、電話番号等のデータ型は、文字型である。
【００６２】
患者基本情報テーブル５１のデータ例として、患者ＩＤ「2014072403」の患者名は「富士岡次郎」であり、住所は「東京都大田区・・・」であり、電話番号は「03-0000-0000」である。
【００６３】
共有制限情報テーブル５２は、患者毎に共有制限情報を記憶し管理するテーブルであり、共有制限情報ＩＤ、患者ＩＤ、グループリスト、スタッフリスト等の項目を有する。上述した共有制限情報は、グループリスト、スタッフリスト等に相当する。
【００６４】
共有制限情報ＩＤは、共有制限情報を一意に特定する識別子を示す。患者ＩＤは、患者基本情報テーブル５１で登録済みの患者の識別子を示す。
【００６５】
グループリストは、グループの識別子によって、患者情報を共有可能なグループの一覧を示す。グループの識別子は、グループ毎の情報を管理するグループ管理テーブルによって別途管理されていればよい。ここでは、グループの識別子でグループ管理テーブルを参照することで事業所を特定可能とする。
【００６６】
スタッフリストは、患者情報を共有可能なグループ配下の担当者の識別子によって、グループ内において、患者情報を共有可能な担当者を特定する。担当者の識別子は、担当者の情報を記憶し管理する担当者管理テーブルによって別途管理されていればよい。共有制限情報ＩＤ、患者ＩＤ、グループリスト、スタッフリスト等のデータ型は文字型である。
【００６７】
共有制限情報テーブル５２のデータ例として、共有制限情報ＩＤ「2014072403」の共有制限情報は、患者ＩＤ「2014072401」で特定される患者の患者情報に適用されることを指定している。
【００６８】
グループリストで指定される識別子「group1」及び「group2」で特定されるグループに対して、患者ＩＤ「2014072401」で特定される患者情報が共有される。更に、スタッフリストにより、グループ内において、患者情報を共有可能な担当者が、担当者の識別子「2014072402」、「2014072404」等によって特定される。
【００６９】
共有制限有無情報テーブル５３は、患者毎に、共有制限情報が設定状態を記憶し管理するテーブルであり、患者ＩＤ、制限設定フラグ等の項目を有する。患者ＩＤは、患者基本情報テーブル５１で登録済みの患者の識別子を示す。データ型は文字型である。制限設定フラグは、患者ＩＤで特定される患者に対してデフォルトで作成された共有制限情報が担当者によって少なくとも１回は設定が更新されたか否かを示すフラグである。制限設定フラグのデータ型はBoolean型である。制限設定フラグは、初期値としては、「false」が格納される。
【００７０】
共有制限有無情報テーブル５３のデータ例として、患者ＩＤ「2014072401」の患者情報に対する共有制限情報は、制限設定フラグが「true」であるので、少なくとも１回、共有制限情報の設定が変更済みであることを示している。制限設定フラグが「false」の場合、共有制限情報の設定はデフォルトのままであり、担当者による設定の更新は未だ行われていないことを示す。
【００７１】
なお、図８の各テーブル例において、各データのデータ型は、図中の例以外のデータ型であっても構わない。
【００７２】
本実施例に係るテーブル５１〜５３について説明したが、訪問医療システム１０００においては、各患者に対するチーム体制に係るテーブル及びデータベース等を含み、患者とチームに属する事業所及び担当者（医師を含む）とは、各々を識別する識別子を用いて関連付けられているものとする。
【００７３】
事業所の識別子から患者と、患者毎のチーム体制に係る情報（事業所名、担当者名等）とを抽出することは可能である。
【００７４】
次に、各処理部４１及び４２における処理についてフローチャートで説明する。図９は、共有患者一覧画面作成処理を説明するためのフローチャート図である。図９において、サーバ装置１００の共有患者一覧画面作成部４１は、担当者端末３から共有患者一覧画面要求を受信すると、共有患者一覧画面Ｇ７１を担当者端末３に表示する（ステップＳ６１）。
【００７５】
共有患者一覧画面Ｇ７１が担当者端末３に表示されると、担当者は、共有患者一覧画面Ｇ７１内の検索条件入力領域７１ａに検索条件を入力する。事業所名等が検索条件として入力される。担当者が検索ボタン７１ａ−４を押下することで、担当者端末３からサーバ装置１００へ検索条件が通知される。
【００７６】
サーバ装置１００が検索条件を受信すると、共有患者一覧画面作成部４１は、患者基本情報テーブル５１から受信した検索条件に一致する患者情報を、患者基本情報テーブル５１から取得する（ステップＳ６２）。取得した患者情報は、記憶部１３０ａに記憶される。
【００７７】
共有患者一覧画面作成部４１は、記憶部１３０ａからステップＳ６２で取得した患者情報を１つ選択し、選択した患者情報から患者ＩＤを取得して、共有制限有無情報テーブル５３から制限設定フラグの値を取得する（ステップＳ６３）。
【００７８】
共有患者一覧画面作成部４１は、制限設定フラグの値が「true」又は「false」のいずれであるのかを判断する（ステップＳ６４）。制限設定フラグの値が「true」の場合、「共有制限」の操作ボタンとなる表示部品に「＊」マークを追加する（ステップＳ６５）。一方、制限設定フラグの値が「false」の場合、共有患者一覧画面作成部４１は、ステップＳ６６へと進む。
【００７９】
共有患者一覧画面作成部４１は、ステップＳ６２で取得した全ての患者情報に対して処理を終了したか否かを判断する（ステップＳ６６）。全ての患者情報に対して処理を終了していない場合、共有患者一覧画面作成部４１は、ステップＳ６３へ戻り、次の患者情報を選択して、上記同様の処理を繰り返す。
【００８０】
一方、全ての患者情報に対して処理を終了した場合、共有患者一覧画面作成部４１は、各患者情報に、提供元事業所、提供先事業所、操作ボタンの表示部品を設定した操作領域等を対応付けて共有患者情報一覧を作成する（ステップＳ６７）。
【００８１】
そして、共有患者一覧画面作成部４１は、共有患者情報一覧を担当者端末３に送信することで、共有患者一覧画面Ｇ７１の一覧表示領域７１ｂを表示して（ステップＳ６８）、共有患者一覧画面作成処理を終了する。
【００８２】
図１０は、共有制限設定処理を説明するためのフローチャート図である。図１０において、サーバ装置１００の共有制限設定部４２は、担当者端末３から共有制限設定画面要求を受信したか否かを判断する（ステップＳ１０１）。共有制限設定画面要求を受信していない場合、共有制限設定部４２は、所定間隔でステップＳ１０１を繰り返す。
【００８３】
一方、共有制限設定画面要求を受信した場合、共有制限設定部４２は、共有制限設定画面要求で指定される患者ＩＤに基づいて、共有制限情報テーブル５２から共有制限情報を取得し（ステップＳ１０２）、また、共有制限有無情報テーブル５３から制限設定フラグの値を取得する（ステップＳ１０３）。
【００８４】
共有制限設定部４２は、患者ＩＤに関連付られるチームの情報から事業所を１つ選択した後（ステップＳ１０４）、ステップＳ１０３で取得した制限設定フラグの値を確認する（ステップＳ１０５）。制限設定フラグの値が「false」を示す場合、共有制限設定部４２は、事業所、事業所内のグループ、及び各グループに属するスタッフ（担当者）の全チェックボックスにチェックを付けた共有制限設定画面Ｇ７２を作成し（ステップＳ１０６）、ステップＳ１０８へと進む。
【００８５】
一方、制限設定フラグの値が「true」を示す場合、共有制限設定部４２は、選択した事業所に関して、ステップＳ１０２で取得した共有制限情報のグループリスト及びスタッフリストで示されているグループとスタッフのみチェックボックスにチェックした共有制限設定画面Ｇ７２を作成する（ステップＳ１０７）。
【００８６】
ステップＳ１０７において、選択した事業所の識別子が、グループリストで示されるグループと関連付けされない場合、共有制限設定部４２は、事業所及び事業所配下のグループ及びスタッフのチェックボックスにチェックしない。その後、共有制限設定部４２は、ステップＳ１０８へと進む。
【００８７】
共有制限設定部４２は、全ての事業所に対して処理を終了したか否かを判断する（ステップＳ１０８）。全ての事業所に対して処理を終了していない場合、共有制限設定部４２は、ステップＳ１０４へと戻り、上記同様の処理を繰り返す。一方、全ての事業所に対して処理を終了した場合、共有制限設定部４２は、共有制限設定画面Ｇ７２を担当者端末３に送信して表示する（ステップＳ１０９）。
【００８８】
共有制限設定部４２は、共有制限設定画面Ｇ７２の表示後に担当者端末３から受信した要求が、共有制限設定要求であるか否かを判断する（ステップＳ１１０）。担当者端末３に表示された共有制限設定画面Ｇ７２にて、担当者がＯＫボタン９３を押下した場合、共有制限設定要求が担当者端末３からサーバ装置１００へと送信される。共有制限設定要求には、患者ＩＤと、共有制限情報とが含まれる。
【００８９】
一方、担当者がキャンセルボタン９４を押下した場合、共有制限設定要求は送信されず、共有制限設定の終了が通知される。
【００９０】
共有制限設定部４２は、共有制限設定要求を受信した場合、共有制限情報テーブル５２の、共有制限設定要求に含まれる患者ＩＤに対して、共有制限設定要求に含まれる共有制限情報を保存し、また、共有制限有無情報テーブル５３の、共有制限設定要求に含まれる患者ＩＤに対して、制限設定フラグの値を「true」に設定する（ステップＳ１１１）。共有制限情報は、チェックボックスにチェックされたグループ及びスタッフの識別子を含む。共有制限情報テーブル５２のグループリスト及びスタッフリストは、共有制限情報によって書き換えられる。
【００９１】
その後、担当者端末３に表示した共有制限設定画面Ｇ７２の表示を閉じた後（ステップＳ１１２）、共有制限設定部４２は、共有制限設定処理を終了する。
【００９２】
一方、共有制限設定部４２は、共有制限設定の終了通知を受信した場合、担当者端末３に表示した共有制限設定画面Ｇ７２の表示を閉じて（ステップＳ１１２）、共有制限設定処理を終了する。
【００９３】
本実施例によれば、チーム内で共有される患者情報の一覧表示時に、チーム内での共有制限の設定を更新済みであるか否かを視認し易くできる。
【００９４】
新規の患者を受け付けて最初に共有制限設定を行う際に、同一の事業者によるチーム体制の場合、患者が同様の病状を呈している場合等、別の患者に対して格納されている共有制限情報を流用するか否かの判断を容易に行なえる。
【００９５】
即ち、参考とする患者についての共有制限設定が、サーバ装置１００によって初期に設定されたデフォルト状態のままであるのか、デフォルト状態から変更されているのかによって、参考に参照しようとしている担当者が、いずれの患者の共有制限情報を参照すべきかの影響を受ける。このような状況において、デフォルト状態から変更されていることをマーク「＊」の付加された操作ボタンを表す表示部品によって、担当者は容易に判断することができる。
【００９６】
また、マーク「＊」が、共有制限設定画面Ｇ７２を表示するための操作ボタンに付加されることにより、担当者は、既にデフォルト状態から変更された状態であることを知った上で、共有制限情報を確認又は変更することができる。
【００９７】
即ち、本実施例では、担当者は、その操作ボタンを押下する必要があるのか否か（操作ボタンを押下して格納されているデータを参照する必要があるか否か）を、操作ボタンを押下する前に判断可能にせしめることができる。
【００９８】
更に、参考に参照しようとする共有制限情報が設定された患者情報を検索する仕組みとした場合に比べて、担当者が、意図する候補を抽出するための検索条件を設定する必要がなく操作性が良い。特に、小規模な事業者でチーム体制が組まれる場合には、複雑な検索機能よりも、患者情報一覧の全体をみて、簡潔に視認できる仕組みが有効である場合がある。
【００９９】
また、候補を抽出する検索機能の開発は、費用及び工数が掛るのに対して、本実施例では、簡潔な機能によって、担当者が候補を判断可能な仕組みを提供できる。
【０１００】
本発明は、具体的に開示された実施例に限定されるものではなく、特許請求の範囲から逸脱することなく、主々の変形や変更が可能である。
【０１０１】
以上の実施例を含む実施形態に関し、更に以下の付記を開示する。
（付記１）
コンピュータが、
複数の患者のそれぞれに対応付けて、患者情報へのアクセス権の参照又は設定処理を起動する際に用いられる表示部品を表示する際に、アクセス権の設定内容が初期設定から既に変更された患者に対応付けて表示する表示部品については、アクセス権の設定内容が初期設定から未変更である他の表示部品と識別可能な態様で表示する表示制御、
を行うことを特徴とする表示制御方法。
（付記２）
前記コンピュータが、
前記複数の患者から選択された１の患者に対する前記アクセス権の設定情報を参照又は更新する機能を起動させるための指示を受け付ける操作領域を、前記設定情報の対象とする患者の識別子と対応付けた状態で表示する画面で、該操作領域に、起動対象となる前記機能の識別子を表示するとともに、該設定情報の対象とする患者と対応付けて格納されている該設定情報が、前記初期設定から変更されているか否かの別を識別可能な印を表示する
ことを特徴とする付記１記載の表示制御方法。
（付記３）
前記コンピュータが、
前記機能により前記アクセス権の設定情報を変更した場合、前記初期設定から変更されたか否かを示すフラグを変更されたことを示す値に設定し、
前記フラグの値に基づいて、前記識別可能な印の表示の有無を判断する
ことを特徴とする付記２記載の表示制御方法。
（付記４）
コンピュータに、
複数の患者のそれぞれに対応付けて、患者情報へのアクセス権の参照又は設定処理を起動する際に用いられる表示部品を表示する際に、アクセス権の設定内容が初期設定から既に変更された患者に対応付けて表示する表示部品については、アクセス権の設定内容が初期設定から未変更である他の表示部品と識別可能な態様で表示する表示制御、
を実行させることを特徴とする表示制御プログラム。
（付記５）
複数の患者のそれぞれに対応付けて、患者情報へのアクセス権の参照又は設定処理を起動する際に用いられる表示部品を表示する際に、アクセス権の設定内容が初期設定から既に変更された患者に対応付けて表示する表示部品については、アクセス権の設定内容が初期設定から未変更である他の表示部品と識別可能な態様で表示する表示制御部
を有することを特徴とする表示制御装置。
（付記６）
訪問医療の関係者によって利用される複数の端末と、
前記訪問医療を受ける患者の患者情報に対するアクセス権を管理するサーバ装置とを有する訪問医療システムであって、
前記サーバ装置は、
前記端末からの、複数の患者のそれぞれに対応付けて、患者情報へのアクセス権の参照又は設定処理を起動する際に用いられる表示部品を表示する画面の要求に応じて、アクセス権の設定内容が初期設定から既に変更された患者に対応付けて表示する表示部品については、アクセス権の設定内容が初期設定から未変更である他の表示部品と識別可能な態様にした該画面を、該端末に送信して表示させる表示制御部
を有することを特徴とする訪問医療システム。
【符号の説明】
【０１０２】
３        担当者端末
１１ａ    ＣＰＵ、                １２ａ    主記憶装置
１３ａ    補助記憶装置、          １４ａ    入力装置
１５ａ    表示装置、              １７ａ    通信Ｉ／Ｆ
１８ａ    ドライブ装置、          １９ａ    記憶媒体
１１ｂ    ＣＰＵ、                １２ｂ    主記憶装置
１６ｂ    ユーザＩ／Ｆ、          １７ｂ    通信Ｉ／Ｆ
１８ｂ    ドライブ装置、          １９ｂ    記憶媒体
４１      共有患者一覧画面作成部
４２      共有制限設定部
５１      患者基本情報テーブル
５２      共有制限情報テーブル
５３      共有制限有無情報テーブル
Ｂ１、Ｂ２  バス
【図１】
0006592903.tif 000002
【図２】
0006592903.tif 000003
【図３】
0006592903.tif 000004
【図４】
0006592903.tif 000005
【図５】
0006592903.tif 000006
【図６】
0006592903.tif 000007
【図７】
0006592903.tif 000008
【図８】
0006592903.tif 000009
【図９】
0006592903.tif 000010
【図１０】
0006592903.tif 000011